(57)【特許請求の範囲】
【請求項１】
建築物の室内側の壁面との間に間隔をあけて対面して設置されるロールカーテンとなる結露防止シートであって、非透湿層となるフィルムを備え、その室内壁面から遠い側の面に化粧層が、そして、その室内壁面に近い側の面に調湿層がそれぞれ積層されているとともに、前記調湿層の表面に透湿化粧層が積層されてなり、剛軟度が２５０ｍｍ以下である、ことを特徴とする結露防止シート。
【請求項２】
前記非透湿層が、ポリエステル、ポリエチレン、ポリプロピレン、エチレン酢酸ビニル、エチレンビニルアルコールからなる群から選ばれる何れか１種の合成樹脂を含み、透湿度５０ｇ／ｍ２・２４ｈ未満の防湿フィルムである、請求項１に記載の結露防止シート。
【請求項３】
前記調湿層が、アルミナゲル、シリカゲル、ゼオライト、吸水性ポリマーからなる群から選ばれる少なくとも１種の調湿材を含み、２５℃×９０％ＲＨにおいて吸湿量２〜２００ｇ／ｍ２である、請求項１または２に記載の結露防止シート。
【請求項４】
前記化粧層が、編織布、不織布、紙からなる群から選ばれる何れか１種からなる、請求項１から３までのいずれかに記載の結露防止シート。
【請求項５】
建築物の室内壁面における結露を防止する構造であって、前記請求項１から４までのいずれかに記載の結露防止シートが、前記室内壁面側に近い側に前記調湿層が、そして、遠い側に前記非透湿層がそれぞれ配置されるようにして、前記室内壁面との間に間隔をあけて対面するよう設置されている、ことを特徴とする建築物の結露防止構造。
【発明の詳細な説明】
【０００１】
【発明の属する技術分野】
本発明は、結露防止シートおよび建築物の結露防止構造に関し、詳しくは、住宅などの建築物において、窓ガラスや扉を含む室内壁面における結露を防止する結露防止シートと、このような結露防止シートを用いた建築物の結露防止構造とを対象にしている。
【０００２】
【従来の技術】
一般住宅などの建築物で、冬季や雨期に室内壁面に結露が生じ、壁面を汚したり、建材を腐朽させたり、黴や雑菌の繁殖源になったりすることが問題とされている。
室内壁面における結露防止の手段としては、壁面構造の断熱性を高めることが行なわれている。壁面の結露は，壁面の表面と室内空間との温度差で、壁面近傍の空気が冷却され、冷却された空気に含まれる水分が壁面の表面で結露を生じる。壁面構造の断熱性が十分であれば、壁面と室内の空気との間に温度差が生じず、空気中の水分が結露を起こすことがない。
【０００３】
押入れなどの比較的に狭い空間で結露を防ぐ手段として、ビンなどの容器に収容された湿気取り剤を、結露を防ぎたい空間に配置しておくことも提案されている。空間内の空気に含まれる湿気や水分を湿気取り剤に吸収させて、空気を乾燥させておけば、壁面との間に温度差があっても、結露は生じ難い。
エアコンの除湿機能や除湿装置により、機械的に除湿を行なうことも提案されている。
室内壁面の表面仕上げとして、調湿機能を有するセラミックタイルを貼り付けておくことも提案されている。壁面の表面に発生した結露水がセラミックタイルに吸収されて内部に保持されるとともに、室内が乾燥してくればセラミックタイルから空気中に水分を放出する。このセラミックタイルの調湿機能によって、結露が壁面を垂れて周辺を汚したり、黴や雑菌の繁殖源になったりすることを防ぐ。
【０００４】
結露を生じ易い壁面に、吸湿性あるいは吸水性のあるテープやシートを貼り付けておく方法も提案されている。
【０００５】
【発明が解決しようとする課題】
窓ガラスや扉などの開口部の表面は、通常の壁面に比べて結露が発生し易いとともに、有効な結露防止の手段が見当たらない。
窓ガラスや扉は、開け閉めを容易にするために、あまり分厚い構造は採用できず、どうしても周囲の壁面に比べて断熱性が十分ではないため、結露が発生し易い。窓枠を構成するアルミなどからなるサッシ材は熱伝導率が高く、断熱性が低下する。開閉部材と枠との間には隙間が生じ易いことからも、断熱性が低下する要因になる。
【０００６】
前記したような調湿セラミックタイルは、窓ガラスや扉に使用するには適していない。
容器入りの湿気取り剤では、居室や寝室のような広い空間で、窓ガラスや扉の表面に結露が生じないようにするほどの湿気取り機能はない。しかも、室内空間全体で結露が生じないほど空気中の湿気を除去すると、居住者にとっては室内空間が乾燥しすぎて不快感を覚えたり、不健康になったりしてしまう。エアコンの除湿機能や除湿装置にも同様の問題がある。
壁面に吸湿シートなどを貼り付けておく方法では、吸湿した状態の吸湿シートが室内側に露出したままになるため外観性が良くない。吸湿シートの表面自体が結露面になるため、結露そのものを抑えることができない。吸湿したままで放置しておくと、黴や雑菌が繁殖する温床になり易く、汚れも付着し易い。
【０００７】
本発明の課題は、前記した従来技術の問題点を解消し、建築物の室内壁面における結露防止、特に、窓ガラスなどの開口部における結露防止を良好に達成することである。
【０００８】
【課題を解決するための手段】
本発明にかかる結露防止シートは、建築物の室内側の壁面との間に間隔をあけて対面して設置されるロールカーテンとなる結露防止シートであって、非透湿層となるフィルムを備え、その室内壁面から遠い側の面に化粧層が、そして、その室内壁面に近い側の面に調湿層がそれぞれ積層されているとともに、前記調湿層の表面に透湿化粧層が積層されてなり、剛軟度が２５０ｍｍ以下である、ことを特徴とする。
本発明にかかる建築物の結露防止構造は、建築物の室内壁面における結露を防止する構造であって、上記本発明の結露防止シートが、前記室内壁面側に近い側に前記調湿層が、そして、遠い側に前記非透湿層がそれぞれ配置されるようにして、前記室内壁面との間に間隔をあけて対面するよう設置されている、ことを特徴とする。
〔建築物の室内壁面〕
木造、コンクリート造など種々の構造からなる、一般住宅、集合住宅、オフィスビル、工場、公共施設などに適用でき、建築物の構造や用途には限定されない。
【０００９】
室内壁面としては、ガラス窓や扉などの結露し易い開口部に適用するのが効果的であるが、開口部以外の壁面にも適用できる。結露が発生し易いのは、片面が建築物の屋外に面する外壁であるが、部屋同士の仕切り壁などであっても結露の防止が必要になる壁面に適用できる。
壁面の材料は、ガラスや透明プラスチック、木質材、無機質ボード、コンクリート、塗壁などからなる。
開口部は、出入り口、窓、換気口、通風口、物品の搬入搬出口などがある。扉には、ガラス戸や板戸、金属扉、格子戸、障子、襖などがある。窓には、ガラス窓のほか、格子窓や板窓もある。扉や窓の開閉構造は、引き違い構造や観音開きなどが適用される。
【００１０】
〔非透湿層〕
空気中に含まれる湿気や水分の通過を遮断する機能を果たす。
通常の建築材料の中から、非透湿性に優れた材料が使用される。ロールカーテンなどに利用する場合には、巻回容易な柔軟性のある材料が好ましい。具体的な材料として、ポリエステル、ポリエチレン、ポリプロピレン、エチレン酢酸ビニル、エチレンビニルアルコールなどが挙げられる。これらの材料からなるフィルムやシートが使用できる。合成樹脂以外に、金属やセラミックスの箔やフィルムも使用できる。複数の材料を複合化したものでもよい。非透湿層は、透明であってもよいし、非透明であってもよく、着色材料を用いることもできる。
【００１１】
非透湿性を評価する基準として、透湿度５０ｇ／ｍ2・２４ｈ未満のものが好ましい。透湿度３０ｇ／ｍ2・２４ｈ未満がより望ましい。非透湿層の厚みを、５〜１００μｍの範囲、好ましくは１０〜５０μｍの範囲に設定することができる。
非透湿層は、調湿層を塗工する基材となる場合がある。機械的強度に劣る調湿層を補強したり支持したりする機能を果たすこともできる。
〔調湿層〕
通常の建築材料の中から、いわゆる調湿機能を有する材料が使用できる。調湿機能とは、高湿環境において環境中の湿気や水分を吸収して保持できるとともに、乾燥環境では保持した湿気や水分を環境中に放出して、環境の湿度を調整する機能であり、吸放湿性とも呼ばれる。
【００１２】
調湿機能を有する材料として、アルミナゲル、シリカゲル、ゼオライト、吸水性ポリマーなどの調湿材が使用できる。その他、一般に吸着剤として利用されている各種の多孔質材料や吸湿性繊維材料も使用できる。Ｂ型シリカゲルや吸水性ポリマーは、吸放湿性に優れた材料である。調湿材は一種類だけを使用してもよいし、複数種類を併用することもできる。
調湿材として、２５℃×５０％ＲＨにおいて吸湿量３〜４０重量％、２５℃×９０％ＲＨにおいて吸湿量１０〜１００重量％を有する材料が好ましい。このような吸湿特性を有するものは、高湿度環境で湿気を効率的に吸収し、低湿度環境では吸湿した水分を放出し易い。
【００１３】
調湿材は通常、微細な粉粒体や繊維体で供給される。調湿材の粒径は通常、０．０１μｍ〜数ｍｍの範囲のものが使用される。これらの調湿材は、必要に応じて接着剤などを加えてスラリー状や練状物にした調湿塗材を調製し、この調湿塗料を塗工し硬化させることで調湿層を構成することができる。
微細な調湿材は、液状の接着剤あるいはバインダーと混合して調湿塗材を調製すれば、通常の塗工装置を用いて調湿層が効率的に作製できる。この作製方法に適した調湿材の粒径は、１０μｍ以下程度である。
調湿塗材の調製に用いる接着剤あるいはバインダーとしては、調湿材の調湿機能を損なわない材料が好ましい。具体的には、ウレタン系、アクリル系、オレフィン系、ポリアミド系、ポリエステル系、ポリビニルアルコール系等の水系樹脂や溶剤系樹脂の中から選択して使用することができる。
【００１４】
塗工装置としては、ナイフコーター、グラビアコーター、コンマコーター、ダイコーターなどが使用できる。
粒径が比較的に大きな調湿材は、粉体状の接着剤やバインダーと混合し、粉体散布法で層状に堆積させたあと、熱プレスなどで固定する方法が適用できる。この作製方法に適した調湿材の粒径は、１０μｍ以上程度である。
粉体状の接着剤やバインダーとしては、エチレン酢酸ビニル、ポリエチレン、ポリプロピレン、ポリアミド、ポリエステル、ウレタン等の熱可塑性樹脂の中から選択して使用することができる。
【００１５】
何れの場合も、調湿材の調湿機能を損なわないようにして、調湿層を作製できる方法が好ましい。
調湿材に組み合わせる接着剤やバインダーの量は、調湿材に対して１０〜２００重量％の範囲が採用できる。接着剤等が少な過ぎると、調湿材の脱落が生じ易くなる。接着剤等が多すぎると、調湿材の調湿機能が低下し、結露防止シートの柔軟性も損なわれ易い。
得られた調湿層は、２５℃×９０％ＲＨにおいて吸湿量２〜２００ｇ／ｍ2であるものが好ましい。より望ましくは、１０〜１５０ｇ／ｍ2である。
【００１６】
調湿層の厚みは、５〜２０００μｍの範囲、好ましくは１０〜１０００μｍの範囲に設定できる。
調湿層の材料の一部を、繊維質材料などからなる化粧層その他の隣接する層に含浸させておくこともできる。この場合、調湿層と化粧層との兼用層が存在することになる。
〔化粧層〕
各種の建築部材に使用されている表面仕上げ用の材料や構造が採用できる。例えば、壁紙や壁布、ボード類の表面材などと同様の材料が使用できる。
【００１７】
化粧層のうち、調湿層の表面側に配置される化粧層は、調湿層の調湿機能を損なわないように、透湿性を備えた化粧層が使用される。
化粧層の具体的材料としては、編織布、不織布、紙などが挙げられる。
化粧層は、着色しておいたり、抗菌処理を施しておいたり、汚れ防止処理を施しておいたりすることができる。着色や印刷、編織、転写などの手段で、模様や柄などの意匠を施したり、凹凸によるデザインを形成したり、全体あるいは部分的な表面質感の変化を与えたりすることができる。
〔結露防止シート〕
少なくとも、前記した非透湿層と調湿層とが積層されている。結露防止シートの使用時に、建築物の室内壁面側に調湿層が配置される必要があるが、結露防止シートの素材としては、非透湿層と調湿層とが、どちら側に配置されていても構わない。
【００１８】
化粧層は、結露防止シートの片面または両面で最も外側になる露出面に配置される。片面のみに化粧層を設ける場合、非透湿層側および調湿層側の何れに配置されてもよい。室内装飾の機能を高めるには、室内側の露出面に意匠性の高い化粧層を設けるのが好ましい。調湿層よりも表面側には透湿化粧層を設けることで調湿機能を損なわないようにするのが好ましい。
上記した各層に加えて、結露防止シートの強度や耐久性を高める補強層や、遮光層、紫外線吸収層、吸音層、断熱層、撥水層、汚れ防止層、防臭層などを積層しておくこともできる。各層の材料は、通常のカーテンや表装部材で利用されているような各種機能材料が使用できる。非透湿層、調湿層あるいは化粧層が、前記の各機能を兼ね備えている場合もある。
【００１９】
結露防止シートの製造は、各層を個別に作製したあと、順次あるいは一括して積層一体化することができる。各層を作製しつつ順次積層することもできる。各層の接合は、接着剤による接合のほか、熱融着や絡合、縫製、金具による固着など、通常の建築部材と同様の接合手段が採用できる。樹脂材料などの押出成形と同時に他の層と接合する方法も採用できる。一般的には、非透湿層を構成するフィルムやシートを基材にして、その上に調湿層を塗工形成したり、化粧層を貼付したりする方法が採用できる。
得られた結露防止シートは、剛性板状であっても良いが、柔軟性を有するシート状のものが、ロールカーテンその他の様々な使用形態に適応させ易い。柔軟性を要求される用途の場合、シートの剛軟度が２０〜２５０ｍｍ、好ましくは２０〜２００ｍｍのものが使用し易い。
【００２０】
結露防止シートの全体厚みは、構成材料の組み合わせや使用目的によっても異なるが、１００〜３０００μｍ、好ましくは２００〜２０００μｍの範囲に設定される。ロールカーテンの場合、１〜２ｍｍ程度の厚みが好ましい。
〔結露防止方法〕
結露防止シートの使用方法あるいは使用形態は、目的とする機能が発揮できれば特に制限されないが、室内壁面との間に間隔をあけて対面させたときに、結露防止シートを構成する調湿層と非透湿層のうち、調湿層が、結露防止を図る室内壁面側に配置されるようにする。非透湿層の両側に調湿層が配置されていてもよい。
【００２１】
この状態で、室内壁面と結露防止シートとの間の空間で、空気中に過剰の湿気が含まれていると、空気中の湿気が調湿層に吸収されて保持される。例えば、冬季の夜間から朝方や降雨時には、空気中の湿度が大きく上昇するが、前記作用によって、空気中の水分が調湿層に吸収除去される。その結果、室内壁面の近傍の空気に含まれる湿気が少なくなり、室内壁面に結露が生じ難くなる。
朝から昼になったり、雨がやんだりして、室内の空気が乾燥してくると、調湿層に吸収保持された水分は空気中に放出される。窓ガラスなどの開口部に設置された結露防止シートは、窓を開けるなどすれば、屋外空気との接触や風によって、迅速に湿気が放出される。
【００２２】
このように、調湿層で吸収保持された水分は自然に放出されたり外気との接触によって放出されたりするので、その後に、もう一度、湿度が高くなっても、再び調湿層に過剰の湿気を吸収することができる。
結露防止シートと室内壁面との間の距離を適切に設定することで、結露防止効果を良好にできる。通常は、３〜３００ｍｍ、好ましくは５〜２００ｍｍの範囲に設定する。上記間隔が広すぎると、結露防止シートの目的が十分に達成できない。上記間隔が狭すぎても、結露防止シートが室内壁面と接触してしまい、調湿層による調湿機能が十分に発揮でき難くなる。調湿層からの水分の放出も十分にできない。
【００２３】
非透湿層に対して室内側にも調湿層を配置しておいた場合、室内空間の全体における湿度環境を調整する機能を果たすこともできる。
結露防止シートを、室内壁面との間に間隔をあけて設置するには、通常のカーテンや垂れ幕などの室内設備と同様の手段を採用することができる。
窓ガラスや扉などの開口部に結露防止シートを設置するには、結露防止シートを着脱自在に設置したり、部分的に開閉自在に設置するのが好ましい。一般的な開閉カーテンの構造が採用できる。柔軟な結露防止シートをロール状に巻回しておき、一端を巻き解きながら引き下ろして開口部の前面に設置する、ロールカーテンの構造が採用できる。結露防止シートを折り畳み可能に構成しておき、折り重ねた状態と展開状態とを選択可能に構成しておくこともできる。ルーバーやブラインドの構造を適用することもできる。
【００２４】
【発明の実施の形態】
〔結露防止シート〕
図１に示す結露防止シート１０は、透湿化粧層１２、調湿層１４、非透湿層１６および化粧層１８の積層体からなる。
非透湿層１６は、ポリエステルフィルムなどの湿気や水分を通過させ難い材質の材料からなる。調湿層１４は、吸水性樹脂粒子などを含有する調湿塗料の塗工層などからなり、環境中に過剰に含まれる湿気や水分を吸収保持できる。吸収保持された湿気や水分は、環境が乾燥すれば再び放出される。
【００２５】
透湿化粧層１２および化粧層１８は、結露防止シート１０の表面に露出して配置され、外観性や意匠性を高める機能を有する。特に、調湿層１４の表面側に配置される透湿化粧層１２は、湿気が自由に通過する透湿性に優れている。具体的には、表装用の布や壁紙の材料が使用され、表面には着色したり柄や模様を設けたりされる。
これら各層が積層一体化されて結露防止シート１０が構成されている。
〔結露防止シートの使用例〕
図２に示すように、結露防止シート１０を、ロールカーテンとして使用することができる。
【００２６】
建築物の屋外と室内とを仕切る壁面の開口部２０には、開閉自在な窓ガラス２２が設置されている。この窓ガラス２２は、周囲の壁面に比べて、厚みが薄く、断熱性に劣っているので、室内外の温度差によって、窓ガラス２２の室内側表面に結露が生じ易い。
開口部２０の室内側の上部に、ロールカーテン３０が取り付けられる。ロールカーテン３０は、棒状の芯材３２に、カーテン材となる結露防止シート１０が巻回されて保持されている。カーテン材１０の下端には操作用のつまみ３６が取り付けられている。カーテン材になる結露防止シート１０は、巻回および展開が容易な柔軟性の高い材料を使用する。
【００２７】
ロールカーテン３０のカーテン材１０を下方に引き出して、開口部２０の窓ガラス２２の前面を覆うように配置する。このとき、窓ガラス２２とカーテン材１０との間には、ある程度の隙間があくようにしておく。窓ガラス２２とカーテン材１０との間には空気が存在する。
カーテン材すなわち結露防止シート１０は、構成する各層のうち、調湿層１４が窓ガラス２２に近い側で非透湿層１６が遠い側に配置される。
この状態で、夜間や降雨時に、開口部２０の室内外に大きな温度差が生じると、窓ガラス２２の内側の空気が冷却されて湿度が上昇し飽和状態になって結露が生じ易くなる。このとき、高湿度の空気あるいは発生した湿気が、結露防止シート１０の透湿化粧層１２を通して調湿層１４に接触すると、空気中の湿気や水分が調湿層１４に吸収され、調湿層１４の内部に保持される。その結果、窓ガラス２２の近傍の空気は水分含量あるいは湿度が低下するので、窓ガラス２２の表面で結露を生じ難くなる。
【００２８】
調湿層１４よりも室内側には非透湿層１６が存在するので、湿気や水分が、カーテン材１０の室内側に移行することはない。水分による沁みや汚れが、カーテン材１０の表面を汚すことが防止できる。
結露防止シート１０は、窓ガラス２２には接触していないので、調湿層１４に吸収された水分が窓ガラス２２の表面に付着して汚すこともない。
次に、夜が明けたり日照が強くなったりして、室内外の温度差が少なくなったり、空気が乾燥したりすると、結露防止シート１０の調湿層１４に吸収保持された水分は、結露防止シート１０の前面に存在する空気中に放出される。乾燥した空気に水分が放出されても結露は生じない。さらに、窓ガラス２２を開けて通気すれば、室外との間で空気が入れ替わり、風が当たることで、調湿層１４に含まれた水分は迅速に放出されて乾燥状態に戻る。
【００２９】
調湿層１４の水分が放出されたロールカーテン３０は巻き上げておけば、室内空間への採光や通気の邪魔にはならない。
調湿層１４に吸収保持された水分が除去されれば、次に窓ガラス２２の前面空間が高湿度になったときには、再び、調湿層１４による過剰な水分の吸収除去が行なえる。したがって、ロールカーテン３０を設置しておくだけで、特別な保守管理の手間をかけることなく、継続的に開口部２０および窓ガラス２２の表面に結露が発生するのを確実に防止することができる。
室内空間で、鍋料理などを行なったりしたときに、温度の高い湯気が窓ガラス２２に接触して急激に冷却され結露を生じることがある。このとき、ロールカーテン３０のカーテン材１０を引き下ろしておけば、高温高湿の空気は、非透湿層１６で遮断されて、窓ガラス２２側には到達し難くなる。窓ガラス２２とカーテン材１０との間に侵入した高湿空気も、調湿層１４で湿気が除去されるので、窓ガラス２２に結露を生じることが効果的に防止できる。
【００３０】
【実施例】
本発明の実施例となる結露防止シートを製造し、その性能を評価した。
〔実施例１〕
目付３０ｇ／ｍ2のポリエルテルスパンボンドと１５μｍのポリエステルフィルムを、アクリル系エマルションを用いてラミネートして、不透湿層であるポリエステルフィルムと化粧層となるスパンボンドとの積層シートを得た。
エクスランＨＵ−７０７Ｅ（商品名：日本エクスラン工業社製アクリル系吸水性ポリマー）５０部と、ナクリリック１２５−４２８０（商品名：日本ＮＳＣ社製アクリルエマルション）１００部を混合した調湿塗料を調製した。
【００３１】
この調湿塗料を、目付４０ｇ／ｍ2のポリエステルスパンボンドの表面に、ナイフコーターを用いて、付着量が２５ｇ／ｍ2になるように塗布して、調湿シートを得た。調湿塗料層が調湿層になるとともに、スパンボンドが透湿化粧層となる。
前記積層シートのフィルム面に、Ｐ−８４０（商品名：旭ガラス社製ウレタン系熱可塑性樹脂塗料粉末）を付着量１５ｇ／ｍ2で均一に散布した。塗料粉末の散布面に、前記調湿シートの調湿層側を重ね合わせ、圧力２００ｋＰａ（２ｂａｒ）、温度１３０℃で熱圧着して、結露防止シートを得た。結露防止シートの層構成は、透湿化粧層、調湿層、不透湿層および化粧層となる。
【００３２】
〔実施例２〕
実施例１と同じ、不透湿層と化粧層とからなる積層シートを用意した。
Ｂ２８−１００（商品名：富士シリシア化学社製Ｂ型シリカゲル）１００部と、前記塗料粉末Ｐ−８４０の１００部とを混合して調湿性粉体塗料を調製した。
この調湿性粉体塗料を、前記積層シートの不透湿層の表面に付着量５０ｇ／ｍ2で均一に散布して調湿層となし、その上に、透湿化粧層となる目付３０ｇ／ｍ2のポリエステルスパンボンドを重ね合わせ、圧力２００ｋＰａ（２ｂａｒ）、温度１３０℃で熱圧着して、結露防止シートを得た。
【００３３】
〔実施例３〕
基本的な層構成は前記実施例１と共通しているが、不透湿層が分厚く、化粧層の目付量も多い点が異なっている。
目付７０ｇ／ｍ2のポリエルテルスパンボンドと１００μｍのポリエステルフィルムを、アクリル系エマルションを用いてラミネートして、不透湿層であるポリエステルフィルムと化粧層となるスパンボンドとの積層シートを得た。
実施例１と同じ調湿塗料を、目付７０ｇ／ｍ2のポリエステルスパンボンドの表面に、ナイフコーターを用いて、付着量が２５ｇ／ｍ2になるように塗布して、調湿シートを得た。調湿塗料層が調湿層、スパンボンドが透湿化粧層となる。
【００３４】
前記積層シートのフィルム面に、前記塗料粉末Ｐ−８４０を付着量１５ｇ／ｍ2で均一に散布した。塗料粉末の散布面に、前記調湿シートの調湿層側を重ね合わせ、圧力２００ｋＰａ（２ｂａｒ）、温度１３０℃で熱圧着して、結露防止シートを得た。
〔実施例４〕
基本的な層構成は前記実施例２と共通しているが、調湿層における調湿材の配合量が多く、調湿層の厚みも大きくなっている点が異なっている。
実施例１と同じ、不透湿層と化粧層とからなる積層シートを用意した。
【００３５】
前記Ｂ型シリカゲルＢ２８−１００を３００部と、前記塗料粉末Ｐ−８４０の１００部とを混合して調湿性粉体塗料を調製した。
この調湿性粉体塗料を、前記積層シートの不透湿層の表面に付着量１００ｇ／ｍ2で均一に散布して調湿層となし、その上に、透湿化粧層となる目付３０ｇ／ｍ2のポリエステルスパンボンドを重ね合わせ、圧力２００ｋＰａ（２ｂａｒ）、温度１３０℃で熱圧着して、結露防止シートを得た。
〔比較例１〕
実施例１と同様の調湿層は有するが、不透湿層を備えていない結露防止シートである。
【００３６】
実施例１と同じ調湿シートを用意した。
目付３０ｇ／ｍ2のポリエルテルスパンボンドの片面に、前記塗料粉末Ｐ−８４０を付着量１５ｇ／ｍ2で均一に散布した。塗料粉末の散布面に、前記調湿シートの調湿層側を重ね合わせ、圧力２００ｋＰａ（２ｂａｒ）、温度１３０℃で熱圧着して、結露防止シートを得た。結露防止シートの層構成は、透湿化粧層、調湿層および化粧層となる。
〔比較例２〕
実施例１と同様の不透湿層は有するが、調湿層を備えていない結露防止シートである。
【００３７】
目付３０ｇ／ｍ2のポリエルテルスパンボンドと１５μｍのポリエステルフィルムを、アクリル系エマルションでウェットラミネートし、不透湿層であるポリエステルフィルムと化粧層となるスパンボンドとの積層シートを得た。
上記積層シートのフィルム面に前記塗料粉末Ｐ−８４０を付着量１５ｇ／ｍ2で均一に散布し、透湿性シートである目付３０ｇ／ｍ2のポリエルテルスパンボンドを重ね合わせ、圧力２００ｋＰａ（２ｂａｒ）、温度１３０℃で熱圧着して、結露防止シートを得た。結露防止シートの層構成は、化粧層、不透湿層、化粧層である。
【００３８】
〔性能評価〕
各実施例および比較例の結露防止シートに対して、等温吸湿試験、剛軟度測定および結露試験を実施した。
＜試験条件＞
等温吸湿試験：
一定量のサンプルを７０℃の乾燥機内で１時間前処理を行ない、その後、デシケータ内で放置冷却する。冷却後、秤量ビンにサンプルを入れ、２５℃×５０％ＲＨの条件下で平衡状態に達するまで重量変化を測定する。次に、２５℃×９０％ＲＨの条件下で同様に平衡状態に達するまで吸湿による重量変化を測定する。その後、２５℃×５０％ＲＨの条件に戻し、平衡状態に達するまで放湿による重量変化を測定した。時間と重量変化のグラフに表す。
【００３９】
剛軟度試験：
ＪＩＳ−Ｌ−１０９６に規定されているＡ法（４５°カンチレバー法）に準拠して測定を行なった。試験片のタテ・ヨコ両方向について測定した。
なお、測定限界が３００ｍｍであり、測定限界を超える場合は「＞３００」と表示する。
ロール適正試験：
試験片の巻き取り巻き戻しを繰り返し、ロールカーテン等での使用の適正を評価した。
【００４０】
評価基準〔○＝良好、△＝少し劣る、×＝劣る〕
結露試験：
０−５℃の恒温に維持された恒温槽の一面をガラス面にし、ガラス面の外部空間にガラス面から１０ｃｍ離して試験片を配置し、経時的にガラス表面を観察して、結露が発生するか否かを評価した。外部空間の環境条件は、２５℃×６５％ＲＨであった。
＜試験結果＞
図３は、等温吸湿試験の結果をグラフで表す。この結果から、実施例１−４および比較例１では、環境の湿度変化に対応して、良好な調湿機能を発揮できていることが判る。調湿層を有しない比較例２では、調湿機能を発揮できない。
【００４１】
剛軟度試験および結露試験の結果を下表に示す。
【００４２】
【表１】
0003893435.tif 000002
【００４３】
上記試験結果によれば、各実施例では、住宅のガラス窓などに結露が発生するのを良好に防止できることが判る。実施例のうち、実施例１、２は、柔軟性に優れ、ロールカーテン等の用途に適していることが判る。実施例３、４も、繰り返しの巻きつけや巻戻しを行なわない用途であれば十分に使用可能である。
【００４４】
【発明の効果】
本発明にかかる結露防止シートは、非透湿層と調湿層とを積層しており、建築物の窓ガラスなどの室内壁面との間に間隔をあけて対面させ、調湿層が室内壁面側に配置されるようにしておくだけで、室内壁面に結露が生じるのを効果的に防止することができる。
室内壁面が、窓ガラスのような移動部材であっても、結露防止シートとの間には間隔があいているので、移動の支障になることがない。既設の室内壁面に隣接させて後から設置することも容易にできる。湿気を吸った結露防止シートが室内壁面に接触しないので、室内壁面を汚す心配もない。結露防止シートに吸湿した水分は、環境条件が変化すれば、結露防止シートの表面から室内壁面との間の空間に放出され室内を循環する空気に排出されたり、外気と接触して放出されたりするので、結露防止シートに湿気が溜まったままにならない。結露防止シートを設置したままで、結露が発生し易い環境条件が繰り返し生じても、継続的に良好な結露防止を果たすことができる。
【図面の簡単な説明】
【図１】  本発明の実施形態を表す遮蔽シートの断面図
【図２】  使用例を示す概略構造断面図
【図３】  等温吸湿試験の結果を示す線図
【符号の説明】
１０    結露防止シート（カーテン材）
１２    透湿化粧層
１４    調湿層
１６    非透湿層
１８    化粧層
２０    開口部
２２    窓ガラス
【図１】
0003893435.tif 000003
【図２】
0003893435.tif 000004
【図３】
0003893435.tif 000005